(57)【要約】【課題】光源ユニットの剛性を確保しつつ、点灯時の見栄えを良化する光源ユニット及び光源ユニットを用いた照明装置を提供する。【解決手段】光源ユニットは、光を出射する光源と、光源が実装された基板と、基板が取り付けられるフレームと、光源の外側に設けられ、光源から出射する光を光源の出射方向に反射させる第１の反射面と、第１の反射面で反射された光を光源の出射方向と反対方向の反出射方向に反射させる第２の反射面と、を備える。【選択図】図３
2019185993.tif 000002
【特許請求の範囲】
【請求項１】
光を出射する光源と、
前記光源が実装された基板と、
前記基板が取り付けられるフレームと、
前記光源の外側に設けられ、前記光源から出射する光を前記光源の出射方向に反射させる第１の反射面と、
前記第１の反射面で反射された光を前記光源の出射方向と反対方向の反出射方向に反射させる第２の反射面と、
を備える光源ユニット。
【請求項２】
前記フレームは、
前記基板が取り付けられる底部と、
前記底部の外側に設けられ、前記光源の出射方向に突出する側部と、を有する
請求項１記載の光源ユニット。
【請求項３】
前記光源の出射側に形成され、前記光源から出射した光を取り込む入光面を更に備える
請求項１又は２記載の光源ユニット。
【請求項４】
前記入光面は、
前記光源と前記側部の縁部とを結ぶ線分上か、又は、前記線分よりも前記光源の出射方向に突出している
請求項２に従属する請求項３記載の光源ユニット。
【請求項５】
前記第１の反射面は、
前記光源から離れるにしたがって、前記光源の光軸から離れつつ反出射方向に延びている
請求項１〜４のいずれか１項に記載の光源ユニット。
【請求項６】
前記第２の反射面は、
前記光源から離れるにしたがって、前記光源の光軸から離れるように形成されている
請求項１〜５のいずれか１項に記載の光源ユニット。
【請求項７】
前記第１の反射面及び前記第２の反射面は、
前記光源を覆うカバーに形成されている
請求項１〜６のいずれか１項に記載の光源ユニット。
【請求項８】
前記カバーは、
前記光源側において前記フレームに保持される保持部と、
前記保持部との間に中空部が形成され、前記光源から出射した光が通過する出射部と、を有し、
前記第１の反射面は前記保持部に形成され、
前記第２の反射面は前記出射部に形成されている
請求項７記載の光源ユニット。
【請求項９】
前記カバーは、
前記光源側において前記フレームに保持される保持部と、
前記保持部との間に中空部が形成され、前記光源から出射した光が通過する出射部と、を有し、
前記第１の反射面及び前記第２の反射面は前記保持部に形成されている
請求項７記載の光源ユニット。
【請求項１０】
前記第１の反射面及び前記第２の反射面は、
前記フレームを覆うように設けられた光学素子に形成されている
請求項１〜９のいずれか１項に記載の光源ユニット。
【請求項１１】
請求項１〜１０のいずれか１項に記載の光源ユニットを
備える照明装置。
【発明の詳細な説明】
【技術分野】
【０００１】
本発明は、光を出射する光源を備える光源ユニット及び光源ユニットを用いた照明装置に関する。
【背景技術】
【０００２】
従来、光源として例えばＬＥＤ（Ｌｉｇｈｔ  Ｅｍｉｔｔｉｎｇ  Ｄｉｏｄｅ）といった発光素子を用いた照明装置が知られている。照明装置は、発光素子が実装された基板と電源とを備えた光源ユニットと、光源ユニットが着脱自在に取り付けられる器具本体とを備える。特許文献１には、複数の発光素子が配置された長尺状の基板がフレームに取り付けられ、フレームと基板とを覆うようにカバー部材が設けられた照明器具が開示されている。特許文献１は、光源ユニットの剛性を確保するため、フレームの両端が折り曲げられており、フレームの折り曲げ方向が、光源の出射方向と反対方向となっている。
【先行技術文献】
【特許文献】
【０００３】
【特許文献１】特許第５６５２０１５号公報
【発明の概要】
【発明が解決しようとする課題】
【０００４】
しかしながら、特許文献１に開示された照明器具は、フレームの両端が光源の出射方向と反対方向に折り曲げられているため、光源ユニットが厚くなる。また、光源ユニットの厚みを抑えようとすると、光源ユニットの剛性を確保するために、フレームが光源の出射方向に折り曲げられ、発光素子から出射する光を遮ってしまう。これにより、フレームの一部に暗部が生じて、点灯時の見栄えが悪化する。
【０００５】
本発明は、上記のような課題を背景としてなされたもので、光源ユニットの剛性を確保しつつ、点灯時の見栄えを良化する光源ユニット及び光源ユニットを用いた照明装置を提供するものである。
【課題を解決するための手段】
【０００６】
本発明に係る光源ユニットは、光を出射する光源と、光源が実装された基板と、基板が取り付けられるフレームと、光源の外側に設けられ、光源から出射する光を光源の出射方向に反射させる第１の反射面と、第１の反射面で反射された光を光源の出射方向と反対方向の反出射方向に反射させる第２の反射面と、を備える。
【発明の効果】
【０００７】
本発明によれば、第１の反射面が、光源から出射する光を光源の出射方向に反射させ、第２の反射面が、第１の反射面で反射された光を光源の反出射方向に反射させる。このため、フレームが光源の出射方向に折り曲げられていても、光源から出射する光がフレームに遮られることなく、反出射方向に進行する。このため、点灯時の均一性を確保することができる。従って、光源ユニットの剛性を確保しつつ、点灯時の見栄えを良化することができる。
【図面の簡単な説明】
【０００８】
【図１】本発明の実施の形態１に係る光源ユニット１を示す分解斜視図である。
【図２】本発明の実施の形態１に係る光源ユニット１を示す側面図である。
【図３】本発明の実施の形態１に係る光源ユニット１を示す断面図である。
【図４】本発明の実施の形態１に係る光源ユニット１において光の進行方向を示す断面図である。
【図５】本発明の実施の形態２に係る光源ユニット１００を示す断面図である。
【図６】本発明の実施の形態２に係る光源ユニット１００において光の進行方向を示す断面図である。
【図７】本発明の実施の形態３に係る光源ユニット２００を示す分解斜視図である。
【図８】本発明の実施の形態３に係る光源ユニット２００を示す断面図である。
【図９】本発明の実施の形態３に係る光源ユニット２００において光の進行方向を示す断面図である。
【図１０】本発明の実施の形態４に係る照明装置２を示す斜視図である。
【発明を実施するための形態】
【０００９】
実施の形態１．
以下、本発明に係る光源ユニット及び照明装置の実施の形態について、図面を参照しながら説明する。図１は、本発明の実施の形態１に係る光源ユニット１を示す分解斜視図であり、図２は、本発明の実施の形態１に係る光源ユニット１を示す側面図である。図１及び図２に示すように、光源ユニット１は、光源１０と、基板３と、フレーム４と、カバー５と、カバー側板６とを備えている。
【００１０】
光源１０は、光を出射する発光素子であり、例えば白色光を照射するものであって、ＬＥＤチップ上に蛍光体が塗布された構造を備える。光源１０は、例えば４４０ｎｍ〜４８０ｎｍ程度の青色光を発光するＬＥＤチップ上に、青色光を黄色光に波長変換する蛍光体が設けられたものである。光源１０は、これにより、合成光として白色光を発光する発光素子である。光源１０は、ＣＯＢ型発光モジュールでもよく、有機ＥＬ素子でもよく、ＬＤ（Ｌａｓｅｒ  Ｄｉｏｄｅ）等でもよいし、１つの発光面の面積が大きい発光素子でもよい。
【００１１】
基板３は、例えば長方形で板状のガラスエポキシ基板であり、長手方向に沿って光源１０が実装されている。なお、基板３は、アルミニウム又は鉄等の金属基板として、放熱性能を向上させてもよい。基板３に実装される光源１０の列は、一列でもよく複数列でもよい。基板３の表面には、例えば白色レジストが塗布されており、これにより、光の反射率を高めることができる。また、基板３には、光源１０のほかに、ダイオード等の回路素子（図示せず）、コネクタ等の端子（図示せず）及び配線（図示せず）等も、適宜実装されている。
【００１２】
フレーム４は、基板３が取り付けられるものであり、例えば接着保持されている。フレーム４は、例えば白色に塗装された板金で構成されており、これにより、光の反射率が向上する。また、フレーム４は、光源１０から発生する熱を放散するヒートシンクとしての機能を有する。フレーム４は、基板３が取り付けられる底部４０と、底部４０の外側に設けられ光源１０の出射方向に突出する側部４１とを有している。
【００１３】
図３は、本発明の実施の形態１に係る光源ユニット１を示す断面図であり、図２のＡ−Ａ断面図である。ここで、図３の一点鎖線は、光源１０の光軸１１を示し、光源１０からｙ軸正方向に光が出射する。なお、光源１０の光軸１１は、光源ユニット１の中心軸と完全一致しているか又は略一致している。図３に示すように、フレーム４は、光源１０の光軸１１を中心とした線対称の形状をなしている。底部４０は、長手方向に延びる長尺且つ矩形板状をなしている。側部４１は、底部４０の両端から延び、光源１０の出射方向（ｙ軸正方向）に突出するように円弧状をなしている。
【００１４】
カバー５は、光源１０の出射方向において光源１０を覆うものであり、アクリル樹脂、ポリカーボネート樹脂又はガラス等の光学材料から生成されている。カバー５が樹脂からなる場合、主に乳白色の拡散材が混入された拡散性を有する乳白色樹脂、高反射率の白色樹脂、又は光の透過性が高い透明樹脂が使用される。カバー５は、光源１０側においてフレーム４に保持される保持部５ａと、保持部５ａとの間に中空部が形成され光源１０から出射した光が通過する出射部５ｂとを有している。
【００１５】
図３に示すように、カバー５は、光軸１１を中心とした線対称の形状をなしている。保持部５ａは、光軸１１を線対称とする一対の部材であり、保持部５ａに形成される保持面５４は、フレーム４の側部４１に沿った相似形状をなしており、側部４１に係合することによって、カバー５とフレーム４とを固定する。出射部５ｂは、一対の保持部５ａの端部に接続されており、出射側面５１と、出射天面５０とを有している。出射側面５１は、保持部５ａの端部から光源１０の出射方向（ｙ軸正方向）に延びる部材である。出射天面５０は、カバー５のうち最も照射面側に位置し、光源１０の出射方向（ｙ軸正方向）に突出する曲面状をなしている。なお、カバー側板６は、カバー５の長手方向の両端面に接着される。ここで、保持部５ａには、第１の反射面５２が形成されており、出射部５ｂの出射天面５０には、第２の反射面５３が形成されている。
【００１６】
第１の反射面５２は、保持部５ａの保持面５４から光源１０側に延びており、光源１０から離れるにしたがって、光源１０の光軸１１から離れつつ反出射方向に延びる曲面である。第２の反射面５３は、出射天面５０から光源１０側に延びており、光源１０から離れるにしたがって、光源１０の光軸１１から離れる平面である。実施の形態１において、第１の反射面５２、第２の反射面５３及び保持面５４を含む面には、反射率が高い白色材料が使用され、出射天面５０及び出射側面５１を含む面には、拡散性を有する乳白材料が使用される。なお、第１の反射面５２及び第２の反射面５３等のように、より高い反射率又は低い拡散性を必要とする面には、金属膜等のコーティングが施されてもよい。
【００１７】
図４は、本発明の実施の形態１に係る光源ユニット１において光の進行方向を示す断面図である。次に、光源ユニット１における光の経路について説明する。図４における光の経路は、光源１０の光軸１１の中心から出射された光の経路である。なお、光軸１１と垂直の方向（ｘ軸正方向）の線を基準線、即ち角度０°の線として、基準線からの角度がそれぞれ異なる方向に出射された光Ａ１、Ｂ１、Ｃ１及びＤ１について説明する。ここで、基準線からの角度が低い順に、小角度光Ａ１、中角度光Ｂ１、中角度光Ｃ１、大角度光Ｄ１とする。光軸１１の方向（ｙ軸正方向）は、基準線から９０°である。
【００１８】
先ず、基準線からの角度が最も小さい小角度光Ａ１の経路について説明する。図４に示すように、小角度光Ａ１は、光源１０から第１の反射面５２に向かい、第１の反射面５２で全反射されて、第２の反射面５３に向かう。第２の反射面５３に到達した小角度光Ａ１は、第２の反射面５３で全反射されて、光源１０の出射方向と反対方向の反出射方向（ｙ軸負方向）に向かい、カバー５の出射側面５１からカバー５の外に出射する。
【００１９】
次に、基準線からの角度が中角度前半の中角度光Ｂ１の経路について説明する。図４に示すように、中角度光Ｂ１は、光源１０から出射天面５０に向かい、出射天面５０で屈折してカバー５の外に出射する。そして、基準線からの角度が中角度後半の中角度光Ｃ１の経路について説明する。図４に示すように、中角度光Ｃ１は、光源１０から第１の反射面５２を介することなく、第２の反射面５３に向かい、出射天面５０からカバー５の外に出射する。最後に、基準線からの角度が最も大きい大角度光Ｄ１の経路について説明する。図４に示すように、大角度光Ｄ１は、光源１０から出射天面５０に向かい、出射天面５０で屈折してカバー５の外に出射する。
【００２０】
本実施の形態１によれば、第１の反射面５２が、光源１０から出射する光を光源１０の出射方向に反射させ、第２の反射面５３が、第１の反射面５２で反射された光を光源１０の反出射方向に反射させる。このため、フレーム４が光源１０の出射方向に折り曲げられていても、光源１０から出射する光がフレーム４に遮られることなく、反出射方向に進行する。このため、点灯時の均一性を確保することができる。従って、光源ユニット１の剛性を確保しつつ、点灯時の見栄えを良化することができる。
【００２１】
本実施の形態１は、フレーム４の側部４１が光源１０の出射方向（ｙ軸正方向）に突出している。これにより、フレーム４の側部４１が光源１０の反出射方向（ｙ軸負方向）に突出している場合に比べて、光源ユニット１の剛性を確保しつつ光源ユニット１のｙ軸方向の厚みを抑えることができる。更に、本実施の形態１は、カバー５に第１の反射面５２及び第２の反射面５３が形成されていることによって、側部４１によって遮られる光を、カバー５の出射側面５１に導くことができる。
【００２２】
仮に、第１の反射面５２及び第２の反射面５３が存在しない場合、光源１０からフレーム４の側部４１に向かう光は、側部４１に進行を妨げられ、カバー５の出射側面５１の範囲Ｌ（図３参照）に届かず、カバー５に暗部が形成されてしまう。遮られる光は、図３において、破線より上方の光である。これに対し、本実施の形態１は、第１の反射面５２及び第２の反射面５３が形成されていることによって、側部４１によって遮られる光を、カバー５の出射側面５１に導くことができる。これにより、範囲Ｌに光が届き、暗部が解消される。従って、カバー５全体が均一に光る。
【００２３】
このように、本実施の形態１は、カバー５の側部４１が光源１０の出射方向に突出することにより、光源ユニット１の剛性を確保しつつ光源ユニット１の厚みを抑えている。且つ、第１の反射面５２及び第２の反射面５３がカバー５に形成されていることにより、カバー５の明暗ムラを解消することができる。即ち、光源ユニット１の厚みを抑えつつ光源ユニット１の剛性と点灯時の見栄えを両立させることができる。従って、外観品位が高い照明装置２を容易に実現することができる。
【００２４】
実施の形態２．
図５は、本発明の実施の形態２に係る光源ユニット１００を示す断面図である。本実施の形態２は、第１の反射面１５２と第２の反射面１５３の位置が実施の形態１と相違する。本実施の形態２では、実施の形態１と共通する部分は同一の符号を付して説明を省略し、実施の形態１との相違点を中心に説明する。
【００２５】
図５に示すように、カバー１５は、光軸１１を中心とした線対称の形状をなしている。第１の反射面１５２及び第２の反射面１５３は、いずれも保持部５ａに形成されている。保持部５ａには、反射部１５５が形成されており、反射部１５５は、第１の反射面１５２と、第２の反射面１５３と、入光面１５６と、中間面１５７とを有し、それぞれ一続きの面である。第１の反射面１５２は、保持部５ａの光源１０側に接続されている。第１の反射面１５２は、ｙ軸上に焦点を有し、ｙ軸負方向に突出する放物面である。第２の反射面１５３は、第１の反射面１５２と一続きの面であり、第１の反射面１５２のうち光軸１１から最も離れた点Ａを起点として、光軸１１に近づくにつれて光源１０に近づく方向（ｙ軸負方向）に傾きを有する形状をなしている。
【００２６】
入光面１５６は、光源１０の出射側に形成され、光源１０から出射した光を取り込む。入光面１５６は、球の一部であり、例えば中心が光源１０の発光面中心である。入光面１５６における光源１０から最も遠い点Ｂは、光源１０と側部４１の縁部とを結ぶ線分上か、又は、線分よりも光源１０の出射方向（ｙ軸正方向）に突出している。中間面１５７は、入光面１５６と第２の反射面１５３とを接続する面である。中間面１５７は、入光面１５６から入射した光及び第１の反射面１５２で反射した光の光路を妨害しないように傾斜しており、例えば直線状をなしている。実施の形態２では、例えば第１の反射面１５２及び第２の反射面１５３を有する反射部１５５に透明材料が使用され、出射天面５０及び出射側面５１を含む面には、拡散性を有する乳白材料が使用される。
【００２７】
図６は、本発明の実施の形態２に係る光源ユニット１００において光の進行方向を示す断面図である。次に、光源ユニット１００における光の経路について説明する。図６における光の経路は、光源１０の光軸１１の中心から出射された光の経路である。なお、光軸１１と垂直の方向（ｘ軸正方向）の線を基準線、即ち角度０°の線として、基準線からの角度がそれぞれ異なる方向に出射された光Ａ２、Ｂ２及びＤ２について説明する。ここで、基準線からの角度が低い順に、小角度光Ａ２、中角度光Ｂ２、大角度光Ｄ２とする。光軸１１の方向（ｙ軸正方向）は、基準線から９０°である。
【００２８】
先ず、基準線からの角度が最も小さい小角度光Ａ２の経路について説明する。図６に示すように、小角度光Ａ２は、光源１０から出射して入光面１５６に入射し、入光面１５６から反射部１５５に入る。入光面１５６は光源１０を中心とした球の一部であるため、入光面１５６では光が屈折しない。入光面１５６から入射した光は、第１の反射面１５２に向かい、第１の反射面１５２で全反射されて、第２の反射面１５３に向かう。第２の反射面１５３に到達した小角度光Ａ２は、第２の反射面１５３で全反射されて、光源１０の出射方向と反対方向の反出射方向（ｙ軸負方向）に向かい、カバー１５の出射側面５１からカバー１５の外に出射する。
【００２９】
次に、基準線からの角度が中角度の中角度光Ｂ２の経路について説明する。図６に示すように、中角度光Ｂ２は、中間面１５７に向かい、中間面１５７で反射されて、出射天面５０に向かう。中角度光Ｂ２は、出射天面５０で屈折して、カバー１５の外に出射する。最後に、基準線からの角度が最も大きい大角度光Ｄ２の経路について説明する。図６に示すように、大角度光Ｄ２は、光源１０から出射天面５０に向かい、出射天面５０で屈折してカバー１５の外に出射する。
【００３０】
本実施の形態２によれば、カバー１５の一部に透明樹脂を用いた反射部１５５を設けることによって、光を出射側面５１により導かれるように制御することができる。これにより、カバー１５全体の明暗ムラを解消することができる。このように、本実施の形態２は、実施の形態１と同様に、カバー１５の側部４１が光源１０の出射方向に突出することにより、光源ユニット１００の剛性を確保しつつ光源ユニット１００の厚みを抑えている。且つ、第１の反射面１５２及び第２の反射面１５３がカバー１５に形成されていることにより、カバー１５の明暗ムラを解消することができる。即ち、光源ユニット１００の厚みを抑えつつ光源ユニット１００の剛性と点灯時の見栄えを両立させることができる。従って、外観品位が高い照明装置２を容易に実現することができる。
【００３１】
実施の形態３．
図７は、本発明の実施の形態３に係る光源ユニット２００を示す分解斜視図である。本実施の形態３は、光源ユニット２００が光学素子７を有している点で、実施の形態１と相違する。本実施の形態３では、実施の形態１と共通する部分は同一の符号を付して説明を省略し、実施の形態１との相違点を中心に説明する。
【００３２】
図７に示すように、光学素子７は、フレーム４を覆うように設けられており、透明材料が使用されている。
【００３３】
図８は、本発明の実施の形態３に係る光源ユニット２００を示す断面図である。図８に示すように、カバー２５及び光学素子７は、光軸１１を中心とした線対称の形状をなしている。カバー２５には、第１の反射面７２及び第２の反射面７３は形成されておらず、出射天面５０と出射側面５１と保持面２５４とからなる。出射天面５０及び出射側面５１は、実施の形態１と同様である。保持面２５４は、出射側面５１から光軸１１に向かって延びており、フレーム４の側部４１を覆うように、一部が側部４１と相似形状をなしている。
【００３４】
光学素子７は、入光天面７１と、入光側面７０と、第１の反射面７２と、第２の反射面７３と、出射面７４とを有している。入光天面７１は、光源１０に対向する位置に配置されており、ｘ軸に平行な平面である。入光側面７０は、入光天面７１の両端部に接続され、光源１０の出射方向（ｙ軸正方向）に向かうにつれて光軸１１に近づく方向に延びる。第１の反射面７２は、入光側面７０の外側端部に接続され、光源１０の出射方向（ｙ軸正方向）に向かうにつれて光軸１１から離れる方向に延び、ｙ軸負方向に突出する。
【００３５】
第２の反射面７３は、第１の反射面７２の外側端部に接続された一続きの面であり、第１の反射面７２のうち光軸１１から最も離れた点Ｃを起点として、光軸１１に近づくにつれて光源１０に近づく方向（ｙ軸負方向）に傾きを有する形状をなしている。出射面７４は、２個の第２の反射面７３を接続する面であり、ｘ軸に平行な平面である。実施の形態３では、出射天面５０及び出射側面５１に拡散性を有する乳白材料が使用され、保持面２５４に反射率が高い白色材料が使用される。
【００３６】
図９は、本発明の実施の形態３に係る光源ユニット２００において光の進行方向を示す断面図である。次に、光源ユニット２００における光の経路について説明する。図９における光の経路は、光源１０の光軸１１の中心から出射された光の経路である。なお、光軸１１と垂直の方向（ｘ軸正方向）の線を基準線、即ち角度０°の線として、基準線からの角度がそれぞれ異なる方向に出射された光Ａ３及びＤ３について説明する。ここで、基準線からの角度が低い順に、小角度光Ａ３、大角度光Ｄ３とする。光軸１１の方向（ｙ軸正方向）は、基準線から９０°である。
【００３７】
先ず、基準線からの角度が最も小さい小角度光Ａ３の経路について説明する。図９に示すように、小角度光Ａ３は、光源１０から出射して入光側面７０に入射し、入光側面７０から光学素子７内部に入る。入光側面７０から入射した光は、入光側面７０で屈折して第１の反射面７２に向かい、第１の反射面７２で全反射されて、第２の反射面７３に向かう。第２の反射面７３に到達した小角度光Ａ３は、第２の反射面７３で全反射されて、光源１０の出射方向と反対方向の反出射方向（ｙ軸負方向）に向かい、カバー２５の出射側面５１からカバー２５の外に出射する。
【００３８】
次に、基準線からの角度が最も大きい大角度光Ｄ３の経路について説明する。図９に示すように、大角度光Ｄ３は、光源１０から出射して入光天面７１に入射し、入光天面７１から光学素子７内部に入る。入光天面７１から入射した光は、入光天面７１で屈折して出射面７４に向かい、出射面７４で屈折してカバー２５の出射天面５０に向かう。カバー２５の出射天面５０で屈折した光は、カバー２５の外に出射する。
【００３９】
本実施の形態３によれば、第１の反射面７２及び第２の反射面７３を有する光学素子７を追加することによって、光を出射側面５１により導かれるように制御することができる。これにより、カバー２５全体の明暗ムラを解消することができる。このように、本実施の形態３は、実施の形態１と同様に、カバー２５の側部４１が光源１０の出射方向に突出することにより、光源ユニット２００の剛性を確保しつつ光源ユニット２００の厚みを抑えている。且つ、第１の反射面７２及び第２の反射面７３が形成された光学素子７を備えていることにより、カバー２５の明暗ムラを解消することができる。即ち、光源ユニット２００の厚みを抑えつつ光源ユニット２００の剛性と点灯時の見栄えを両立させることができる。従って、外観品位が高い照明装置２を容易に実現することができる。
【００４０】
実施の形態４．
図１０は、本発明の実施の形態４に係る照明装置２を示す斜視図である。本実施の形態４は、実施の形態１に係る光源ユニット１をダウンライトに適用した照明装置２である。図１０に示すように、照明装置２は、器具本体８と、光源ユニット１とを備えている。器具本体８は、吊ボルト（図示せず）等の取付具によって天井等の被取付部（図示せず）に取り付けられ、逆富士型形状をなしている。器具本体８は、取付部８０と、側板８１と、端子台１２と、バネ１３とを有している。取付部８０は、光源ユニット１の一部が挿入されて取り付けられる部材である。側板８１は、取付部８０の長手方向の両端部を覆う板状の部材である。端子台１２は、器具本体８の外部から引き込まれる電源線（図示せず）が差し込まれる。バネ１３は、光源ユニット１に引っ掛かって保持する。
【００４１】
本実施の形態４に係る照明装置２は、実施の形態１に係る光源ユニット１を備えているため、カバー５に明暗ムラがなく点灯時の均一性を確保することができる。従って、外観品位が高い照明装置２を容易に実現することができる。また、フレーム４の側部４１が光源１０の出射方向（ｙ軸正方向）に突出している。これにより、フレーム４の側部４１が光源１０の反出射方向（ｙ軸負方向）に突出している場合に比べて、光源ユニット１の剛性を確保しつつ光源ユニット１のｙ軸方向の厚みを抑えることができる。よって、器具本体８の取付部８０の深さを浅くすることができる。従って、よりコンパクトな照明装置２を実現することができる。
【００４２】
なお、照明装置２は、実施の形態２又は実施の形態３に係る光源ユニット１００、２００を有していてもよい。また、本実施の形態４では、逆富士型形状である器具本体８を有する照明装置２の場合について例示しているが、埋め込み型形状の器具本体８を有する照明装置２でもよく、トラフ形状の器具本体８を有する照明装置２でもよい。
【符号の説明】
【００４３】
１  光源ユニット、２  照明装置、３  基板、４  フレーム、５  カバー、５ａ  保持部、５ｂ  出射部、６  カバー側板、７  光学素子、８  器具本体、１０  光源、１１  光軸、１２  端子台、１３  バネ、１５  カバー、２５  カバー、４０  底部、４１  側部、５０  出射天面、５１  出射側面、５２  第１の反射面、５３  第２の反射面、５４  保持面、７０  入光側面、７１  入光天面、７２  第１の反射面、７３  第２の反射面、７４  出射面、８０  取付部、８１  側板、１００  光源ユニット、１５２  第１の反射面、１５３  第２の反射面、１５５  反射部、１５６  入光面、１５７  中間面、２００  光源ユニット、２５４  保持面。
【図１】
2019185993.tif 000003
【図２】
2019185993.tif 000004
【図３】
2019185993.tif 000005
【図４】
2019185993.tif 000006
【図５】
2019185993.tif 000007
【図６】
2019185993.tif 000008
【図７】
2019185993.tif 000009
【図８】
2019185993.tif 000010
【図９】
2019185993.tif 000011
【図１０】
2019185993.tif 000012